(57)【要約】      （修正有）【課題】表示板の表示部の小型化が可能な表示装置を提供する。【解決手段】回路基板３と、回路基板３に配置された光源４と、光源４によって照明される表示部１ｂを有する表示板１と、回路基板３と表示板１との間において光源４を取り囲むように配置された遮光体２と、を備え、遮光体２の回路基板３側の端部２３と回路基板３との間に弾性を有する遮光性の緩衝部材５を有し、端部２３は、光源４よりも表示板１側に位置することを特徴とする。【選択図】図２
2019070576.tif 000002
【特許請求の範囲】
【請求項１】
回路基板と、
前記回路基板に配置された光源と、
前記光源によって照明される表示部を有する表示板と、
前記回路基板と前記表示板との間において前記光源を取り囲むように配置された遮光体と、を備え、
前記遮光体の前記回路基板側の端部と前記回路基板との間に弾性を有する遮光性の緩衝部材を有し、
前記端部は、前記光源よりも前記表示板側に位置することを特徴とする表示装置。
【請求項２】
前記緩衝部材は、圧縮されていることを特徴とする請求項１に記載の表示装置。
【請求項３】
前記端部は、角部に面取り部を有することを特徴とする請求項１から２のいずれかに記載の表示装置。
【請求項４】
前記端部は、溝部を有することを特徴とする請求項１から２のいずれかに記載の表示装置。
【請求項５】
前記緩衝部材は、前記回路基板に接着されることを特徴とする請求項１から２のいずれかに記載の表示装置。
【請求項６】
前記光源は、複数を有し、
前記遮光体は、前記複数の前記光源を区画するように設けられることを特徴とする請求項１から２のいずれかに記載の表示装置。
【発明の詳細な説明】
【技術分野】
【０００１】
本開示は、光源からの光を表示板にて認識させる表示装置に関する。
【背景技術】
【０００２】
従来の表示装置は、例えば、下記特許文献１に記載されているものが知られている。この特許文献１に記載の表示装置は、回路基板と、回路基板のある面を示す光源面に配置された光源と、回路基板（基板）に対して光源面側に配置された表示板と、回路基板と表示板との間において光源を取り囲むように配置された遮光体と、を備え、遮光体の回路基板側の端面と回路基板との間に間隙を有しており、この間隙に用いられた漏光防止部材によって漏光を防止するものである。
【先行技術文献】
【特許文献】
【０００３】
【特許文献１】特開２０１５−２８４３５号公報
【発明の概要】
【発明が解決しようとする課題】
【０００４】
しかしながら、特許文献１の表示装置は、光源と遮光壁の距離を小さくして、表示板の光源により発光する表示部を小さくしようとした場合、光源が端面よりも表示板側に位置するため、遮光壁の寸法バラツキ、熱膨張、熱収縮により、遮光壁が光源と干渉し、光源の機能を阻害する虞があった。
【０００５】
そこで、本開示は、上記問題点に鑑みてなされたものであり、表示板の表示部の小型化が可能な表示装置を提供することを目的とする。
【課題を解決するための手段】
【０００６】
本開示は、回路基板３と、前記回路基板３に配置された光源４と、前記光源４によって照明される表示部１ｂを有する表示板１と、前記回路基板３と前記表示板１との間において前記光源４を取り囲むように配置された遮光体２と、を備え、前記遮光体２の前記回路基板３側の端部２３と前記回路基板３との間に弾性を有する遮光性の緩衝部材５を有し、前記端部２３は、前記光源４よりも前記表示板１側に位置することを特徴とする。
【発明の効果】
【０００７】
本開示に係る表示装置によれば、遮光壁の端部が光源よりも表示板側に位置するので、遮光壁と光源との干渉を防止し、表示板の表示部の小型化が可能な表示装置を提供することができる。
【図面の簡単な説明】
【０００８】
【図１】本開示の第一の実施形態に係る表示装置の正面図。
【図２】図１中Ａ−Ａ線に沿った断面図。
【図３】本開示の第一の実施形態を示す断面図。
【発明を実施するための形態】
【０００９】
以下、図１から２に本開示の第一の実施形態を、例えば車両に搭載され、車速、エンジン回転数、残燃料などの計測量を表示する計器装置の、残燃料計に適用した場合を例にして説明する。構成の理解を容易にするために、表示装置の表示する方向を「上方」、その反対方向を「下方」として各部を説明する。
【００１０】
本開示の残燃料計は図１に示すように、ＦやＥやマーク等の指標部１ａと、セグメント状の目盛部１ｂと、により表示される。指標部１ａは常時表示（点灯）され、目盛部１ｂは、計測量に応じ表示（点灯）される。
【００１１】
本開示の残燃料計は図２に示す。回路基板３と、回路基板３に配置された光源４と、光源４によって照明される指標部１ａ及び目盛部（表示部）１ｂを有する表示板１と、回路基板３と表示板１との間において光源４を取り囲むように配置されたケース体（遮光体）２と、を備え、ケース体２の回路基板３側の後端部２３と回路基板３との間に弾性を有する遮光性の緩衝部材５を有している。
【００１２】
回路基板３は、例えばＦＲ−４（Ｆｌａｍｅ  Ｒｅｔａｒｄａｎｔ−４）等のガラスエポキシ系基材に配線パターン（図示せず）を施した硬質回路基板からなり、複数の光源４と、例えば光源４の発光制御を行うマイクロプロセッサーからなる駆動手段（図示せず）や、例えば抵抗、コンデンサ等の各種回路部品（図示せず）が前記配線パターンに導通接続されている。
【００１３】
光源４は、例えば表面実装型の白色のＬＥＤ（Ｌｉｇｈｔ  Ｅｍｉｔｔｉｎｇ  Ｄｉｏｄｅ）からなり、目盛部１ｂの下側に列状に複数個が配置され、目盛部１ｂを背後から照明し発光させる発光体である。
【００１４】
表示板１は、例えば透明ＰＣ（ポリカーボネート）樹脂等の透過光性樹脂からなる薄板平面状の基材１１からなり、基材１１の上面にスモーク色の透光性のスモークインキ層１２が形成されている。また、スモークインキ層１２の上面に、黒色の遮光性の黒インキ層１３が意匠を成してスクリーン印刷されることで指標部１ａ及び目盛部１ｂが形成されている。また、基材１１の下面に無色透明の拡散性の拡散インキ層１４が形成されている。表示板１の目盛部１ｂは、図１に示すように１つの矩形の意匠を成している。
【００１５】
ケース体２は、例えば白色ＰＰ（ポリプロピレン）樹脂などの不透過性の合成樹脂からなり、上面で表示板１を支持し、下面で回路基板３を固定している。ケース体２は、複数の光源４を取り囲むように列状に複数形成され、前面に位置する前端２２が表示板１の後面に当接し、回路基板３側の後端部（端部）２３が光源４よりも表示板１側に位置する。つまり、ケース体２は、複数の光源４を区画するように設けられる照明室Ｒを有する。また、回路基板３の上面から後端部２３までの高さＨ２は、回路基板３の上面から光源４までの高さ（光源４の高さ寸法）Ｈ３より大きいＨ２＞Ｈ３の関係にある。
【００１６】
照明室Ｒは、各光源４の間に配置される仕切り壁２１を有する。仕切り壁２１は、前端２２が目盛部１ｂから視認可能に配置される。後端部２３は、各光源４側の角部に面取り部２３ａを有する。ケース体２の前端２２以外の前面は、表示板１の黒インキ層１３の背後に視認不可に配置されている。このように形成されることにより、前端２２の前面の表示板１にはスモークインキ層１２が形成されているので、前端２２は視認者から白色ではなくスモーク色に視認することができる。
【００１７】
緩衝部材５は、例えば遮光性の黒色のスポンジ等の圧縮可能な弾性体からなる。緩衝部材５は、その後面に両面接着テープ等の接着部材が貼り付けられており、これにより回路基板３の光源４の実装側に貼着されている。また、緩衝部材５は、非圧縮状態での上下方向は、ケース体２の後端部２３よりも僅かに表示板１側に位置し、上下方向と直交する回路基板３の面方向は、ケース体２の後端部２３に対向するように形成されている。つまり、回路基板３の上面からの緩衝部材５の非圧縮状態での高さＨ１は、高さＨ２より大きいＨ１＞Ｈ２の関係にある。
【００１８】
このような構成において、光源４が発光すると、光源４から発せられた光は照明室Ｒを通過し、表示板１の裏面を照明し、光源４に対応した目盛部１ｂが適時発光する。
【００１９】
また、このように形成されることにより、照明室Ｒの後端部２３が光源４よりも表示板１側に位置するので、回路基板３の面方向の各部品の寸法バラツキ、熱膨張、熱収縮等が生じたとしても、光源４と干渉する虞が無い。そのため、仕切り壁２１と光源４とを近接させて複数の光源４のピッチを狭くできるので、目盛部１ｂの小型化が可能である。
【００２０】
また、このように形成されることにより、緩衝部材５が照明室Ｒの後端部２３よりも僅かに表示板１側に位置しているので、各部品の寸法バラツキ、熱膨張、熱収縮等が生じたとしても、後端部２３により圧縮されて組み付けられているから隙間の大きさに追従する。そのため、後端部２３と回路基板３との間に隙間を生じさせないので、後端部２３と緩衝部材５との間の隙間から光源４の光漏れを防止することが可能である。
【００２１】
また、このように形成されることにより、後端部２３が各光源４側の角部に面取り部２３ａを有するので、緩衝部材５を圧縮した際に、緩衝部材５が面取り部２３ａに回り込むように密着し入り組んだ接触状態になる。そのため、後端部２３と緩衝部材５との間の隙間から光源４の光漏れをより防止することが可能である。
【００２２】
また、このように形成されることにより、緩衝部材５は回路基板３に貼着されているので、緩衝部材５と回路基板３との間の隙間から、光源４の光漏れが生じる虞がない。
【００２３】
以下、図３に本開示の第二の実施形態を説明する。第一の実施形態では、後端部２３は、各光源４側の角部に面取り部２３ａを有していたが、本開示では、面取り部２３ａは無く、後端部２３は、各光源４側の内側に略三角形状の溝部２３ｂを有している。この場合、部２３ｂは、光源４間を結ぶ線と直交するように設けられる。
【００２４】
このように形成されることにより、緩衝部材５を圧縮した際に、緩衝部材５が溝部２３ｂに入り込むように密着し、入り組んだ接触状態になる。そのため、後端部２３と緩衝部材５との間の隙間から、光源４の光漏れをより防止することが可能である。
【００２５】
以上のように、仕切り壁２１の後端部２３が光源４よりも表示板１側に位置するので、仕切り壁２１と光源４との干渉を防止し、表示板１のセグメント状の目盛部１ｂの小型化が可能な表示装置を提供することができる。
【００２６】
尚、本開示の表示装置を上記した実施形態の構成にて例に挙げて説明したが、本開示はこれに限定されるものではなく、他の構成においても、本開示の要旨を逸脱しない範囲において種々の改良、並びに設計の変更が可能なことは勿論である。
【００２７】
本開示は、車両用の表示装置に関し、例えば、自動車やオートバイ、あるいは農業機械や建設機械を備えた移動体に搭載される表示装置に適用することができる。
【符号の説明】
【００２８】
１  表示板
１ｂ  目盛部（表示部）
２  ケース体（遮光体）
２３  後端部（端部）
２３ａ  面取り部
２３ｂ  溝部
３  回路基板
４  光源
５  緩衝部材
【図１】
2019070576.tif 000003
【図２】
2019070576.tif 000004
【図３】
2019070576.tif 000005